(57)【要約】  本技術は、より簡素化された構成で遅延補償を行うことができるようにする受信装置、及び、データ処理方法に関する。受信装置は、放送の経路を含む複数の伝送経路ごとに伝送されるパケットに含まれる時刻情報に基づいて、複数の伝送経路のうちの基準の伝送経路で伝送される基準パケットに対して、基準の伝送経路以外の他の伝送経路で伝送される他のパケットを遅延させることで、複数の伝送経路ごとに伝送されるパケットの間の遅延を補償する遅延補償部を備える。本技術は、例えば、チャネルボンディングの機能を有するテレビ受像機に適用することができる。
2017098950.tif 000002
【特許請求の範囲】
【請求項１】
放送の経路を含む複数の伝送経路ごとに伝送されるパケットに含まれる時刻情報に基づいて、前記複数の伝送経路のうちの基準の伝送経路で伝送される基準パケットに対して、前記基準の伝送経路以外の他の伝送経路で伝送される他のパケットを遅延させることで、前記複数の伝送経路ごとに伝送されるパケットの間の遅延を補償する遅延補償部を備える
受信装置。
【請求項２】
前記遅延補償部は、
前記複数の伝送経路ごとに伝送されるパケットのうち、同一の時刻を示す時刻情報を含むパケットの間の遅延量を計測する計測部と、
前記遅延量の計測結果に従い、同一の時刻を示す時刻情報を含むパケットのうち、最も遅れているパケットを、前記基準パケットとし、それ以外のパケットを、前記他のパケットとして遅延させる遅延部と
を有する
請求項１に記載の受信装置。
【請求項３】
前記複数の伝送経路は、複数の周波数帯域を結合して使用するチャネルボンディングの対象となる複数の周波数帯域ごとの伝送経路である
請求項２に記載の受信装置。
【請求項４】
前記複数の周波数帯域ごとに、放送波が送出される送出地点が異なっている
請求項３に記載の受信装置。
【請求項５】
前記放送の経路で補償される遅延は、放送波が送出される送出地点と、その放送波が受信される受信地点との距離に応じた伝播遅延である
請求項１に記載の受信装置。
【請求項６】
前記放送の経路で補償される遅延は、前記伝播遅延とともに、放送波を送出する送出設備ごとの時刻のずれを含む
請求項５に記載の受信装置。
【請求項７】
前記放送の経路で補償される遅延は、放送波を伝送するための物理層のパラメータ、又は、前記受信装置の実装に応じた遅延である
請求項１に記載の受信装置。
【請求項８】
前記複数の伝送経路は、前記放送の経路とともに、通信の経路を含む
請求項１に記載の受信装置。
【請求項９】
前記時刻情報は、
物理層で処理されるパケットのプリアンブルに含まれ、
前記パケットが処理された時刻を示している
請求項２に記載の受信装置。
【請求項１０】
受信装置のデータ処理方法において、
前記受信装置が、
放送の経路を含む複数の伝送経路ごとに伝送されるパケットに含まれる時刻情報に基づいて、前記複数の伝送経路のうちの基準の伝送経路で伝送される基準パケットに対して、前記基準の伝送経路以外の他の伝送経路で伝送される他のパケットを遅延させることで、前記複数の伝送経路ごとに伝送されるパケットの間の遅延を補償する
ステップを含むデータ処理方法。
【発明の詳細な説明】
【技術分野】
【０００１】
本技術は、受信装置、及び、データ処理方法に関し、特に、より簡素化された構成で遅延補償を行うことができるようにした受信装置、及び、データ処理方法に関する。
【背景技術】
【０００２】
デジタル放送において、複数のチャネルを結合して使用するチャネルボンディング(Channel bonding)が知られている。また、ATSC3.0と称される、次世代のATSC(Advanced Television Systems Committee)規格においても、チャネルボンディングの採用が見込まれている（例えば、非特許文献１参照）。
【先行技術文献】
【非特許文献】
【０００３】
【非特許文献１】ATSC Candidate Standard：Physical Layer Protocol（Doc. S32-230r21 28 September 2015）
【発明の概要】
【発明が解決しようとする課題】
【０００４】
ところで、ATSC3.0等の放送方式によるデータ伝送において、送出設備（送信所）から送出される放送波（電波）では、送出地点から受信地点までの距離に応じた伝播遅延が生じることになるが、チャネルボンディングを採用した場合には、異なる送出設備から送出される放送波が、受信地点までの距離に応じて異なる伝播遅延量を有することになる。【０００５】
このような場合において、受信機では、誤動作などを防止するために、遅延を補償する必要があるが、この遅延補償を行う回路の構成が、より簡素化された構成であることが望ましい。そのため、より簡素化された構成で遅延補償を行うための提案が要請されていた。【０００６】
本技術はこのような状況に鑑みてなされたものであり、より簡素化された構成で遅延補償を行うことができるようにするものである。
【課題を解決するための手段】
【０００７】
本技術の一側面の受信装置は、放送の経路を含む複数の伝送経路ごとに伝送されるパケットに含まれる時刻情報に基づいて、前記複数の伝送経路のうちの基準の伝送経路で伝送される基準パケットに対して、前記基準の伝送経路以外の他の伝送経路で伝送される他のパケットを遅延させることで、前記複数の伝送経路ごとに伝送されるパケットの間の遅延を補償する遅延補償部を備える受信装置である。【０００８】
本技術の一側面の受信装置は、独立した装置であってもよいし、１つの装置を構成している内部ブロックであってもよい。また、本技術の一側面のデータ処理方法は、上述した本技術の一側面の受信装置に対応するデータ処理方法である。【０００９】
本技術の一側面の受信装置、及び、データ処理方法においては、放送の経路を含む複数の伝送経路ごとに伝送されるパケットに含まれる時刻情報に基づいて、前記複数の伝送経路のうちの基準の伝送経路で伝送される基準パケットに対して、前記基準の伝送経路以外の他の伝送経路で伝送される他のパケットを遅延させることで、前記複数の伝送経路ごとに伝送されるパケットの間の遅延が補償される。
【発明の効果】
【００１０】
本技術の一側面によれば、より簡素化された構成で遅延補償を行うことができる。【００１１】
なお、ここに記載された効果は必ずしも限定されるものではなく、本開示中に記載されたいずれかの効果であってもよい。
【図面の簡単な説明】
【００１２】
【図１】本技術を適用した伝送システムの一実施の形態の構成を示す図である。
【図２】チャネルボンディングの概念を示す図である。
【図３】送信側のチャネルボンディングの処理を示す図である。
【図４】受信側のチャネルボンディングの処理を示す図である。
【図５】BBPカウンタの配置例を示す図である。
【図６】OFIの値を説明する図である。
【図７】EXT_TYPEの値を説明する図である。
【図８】チャネルボンディングの伝播遅延の概要を説明する図である。
【図９】チャネルボンディングの伝播遅延の影響を説明する図である。
【図１０】本技術を適用した伝播遅延補償部の構成例を示す図である。
【図１１】従来の方式の構成を示す図である。
【図１２】本技術の方式１を採用した場合の構成例を示す図である。
【図１３】本技術の方式２を採用した場合の構成例を示す図である。
【図１４】放送・通信連携の伝播遅延の概要を説明する図である。
【図１５】放送・通信連携の伝播遅延の影響を説明する図である。
【図１６】複数の伝送経路に通信の経路を含む場合の構成例を示す図である。
【図１７】送出設備ごとに時刻がずれている場合の遅延補償を説明する図である。
【図１８】遅延補償処理の流れを説明するフローチャートである。
【図１９】コンピュータの構成例を示す図である。
【発明を実施するための形態】
【００１３】
以下、図面を参照しながら本技術の実施の形態について説明する。なお、説明は以下の順序で行うものとする。
【００１４】
１．システムの構成
２．チャネルボンディングの概要
３．本技術の遅延補償
（１）チャネルボンディングの遅延補償
（２）放送・通信連携の遅延補償
（３）送出設備ごとに時刻がずれている場合の遅延補償
４．受信側の遅延補償処理の流れ
５．変形例
６．コンピュータの構成
【００１５】
＜１．システムの構成＞
【００１６】
（伝送システムの構成例）
図１は、本技術を適用した伝送システムの一実施の形態の構成を示す図である。なお、システムとは、複数の装置が論理的に集合したものをいう。
【００１７】
図１において、伝送システム１は、送信装置１０と受信装置２０から構成される。この伝送システム１では、ATSC3.0等の放送方式（デジタル放送の規格）に準拠したデータ伝送が行われる。
【００１８】
送信装置１０は、ATSC3.0等の放送方式に対応した送信機であって、伝送路３０を介してコンテンツを送出（送信）する。例えば、送信装置１０は、放送番組等のコンテンツを構成するビデオやオーディオ等（のコンポーネント）とシグナリングを含む放送ストリームを、放送波（電波）として、伝送路３０を介して送出する。
【００１９】
受信装置２０は、ATSC3.0等の放送方式に対応した受信機であって、送信装置１０から伝送路３０を介して伝送されてくる、コンテンツを受信して出力する。例えば、受信装置２０は、送信装置１０からの放送波（電波）を受信して、放送ストリームに含まれる、コンテンツを構成するビデオやオーディオ等（のコンポーネント）とシグナリングを処理し、放送番組等のコンテンツの映像や音声を再生する。
【００２０】
なお、伝送システム１において、伝送路３０は、地上波（地上波放送）のほか、例えば、放送衛星（BS：Broadcasting Satellite）や通信衛星（CS：Communications Satellite）を利用した衛星放送、あるいは、ケーブルを用いた有線放送（CATV）などであってもよい。
【００２１】
＜２．チャネルボンディングの概要＞
【００２２】
（チャネルボンディングの概念）
図２は、チャネルボンディングの概念を示す図である。
【００２３】
デジタル放送において、複数のチャネル（周波数帯域）を結合して使用するチャネルボンディング(Channel bonding)が知られている。例えば、DVB-C2(Digital Video Broadcasting - Cable second generation)規格では、チャネルボンディングの１つとして、PLPバンドリング(PLP bundling)が規定されている。また、次世代の放送方式の１つであるATSC3.0においても、チャネルボンディングの採用が見込まれている。
【００２４】
このチャネルボンディングを用いることで、例えば、送信側で、高データレートのストリームを、複数（チャネル）の分割ストリームに分割して伝送する一方で、受信側においては、複数の分割ストリームを、元のデータレートのストリームに復元（再合成）する、といった運用が可能となる。
【００２５】
なお、ATSC3.0では、伝送方式として、現在広く普及しているMPEG2-TS(Transport Stream)方式ではなく、通信の分野で用いられているIP(Internet Protocol)パケットをデジタル放送に用いたIP伝送方式を導入することで、より高度なサービスを提供することが想定されている。
【００２６】
図２において、入力フォーマット部（Input Formatting）１０１は、そこに入力される入力ストリーム（Input Packet Stream）に対して、必要な処理を施し、それにより得られるデータを格納したパケットを、PLP(Physical Layer Pipe)に分配する処理を行う。入力フォーマット部１０１により処理されたデータは、分割部１０２に出力される。
【００２７】
分割部（Stream Partitioner）１０２は、入力フォーマット部１０１から入力されるPLPごとのデータを、RFチャネルごとに分配して、RFチャネルの系列に応じたBICM(Bit Interleaved Coding and Modulation)処理部１０３に出力する。この例では、RFチャネル１とRFチャネル２の２つのチャネルを利用してチャネルボンディングが行われるため、RFチャネル１で伝送されるPLPRF1のデータが、BICM処理部１０３−１に出力され、RFチャネル２で伝送されるPLPRF2のデータが、BICM処理部１０３−２に出力される。
【００２８】
BICM処理部１０３−１は、分割部１０２からのPLPRF1のデータに対して、誤り訂正処理やビットインターリーブ、直交変調等の処理を行う。BICM処理部１０３−１により処理されたデータは、時間インターリーブ処理部１０４−１に出力される。
【００２９】
時間インターリーブ処理部（Time Interleaver）１０４−１は、BICM処理部１０３−１から入力されるデータに対して、時間方向のインターリーブの処理を行う。時間インターリーブ処理部１０４−１により処理されたデータは、フレーム・周波数インターリーブ処理部１０５−１に出力される。
【００３０】
フレーム・周波数インターリーブ処理部（Frame & Frequently Interleaver）１０５−１は、時間インターリーブ処理部１０４−１から入力されるデータに対して、物理層フレームの生成や周波数方向のインターリーブなどの処理を行う。フレーム・周波数インターリーブ処理部１０５−１により処理されたデータは、OFDM処理部１０６−１に供給される。
【００３１】
OFDM処理部１０６−１は、フレーム・周波数インターリーブ処理部１０５−１から入力されるデータを処理して、物理層フレームに対応するOFDM(Orthogonal Frequency Division Multiplexing)信号を生成し、RFチャネル１（RF1）を含む放送波によって、伝送路３０を介して送出する。
【００３２】
また、BICM処理部１０３−２乃至OFDM処理部１０６−２は、上述したBICM処理部１０３−１乃至OFDM処理部１０６−１と同様の機能を有する。BICM処理部１０３−２乃至OFDM処理部１０６−２においては、分割部１０２からのPLPRF2のデータに対する処理が行われることで、PLPRF2のデータに応じたOFDM信号が生成され、RFチャネル２（RF2）を含む放送波によって、伝送路３０を介して送出される。
【００３３】
以上のように、チャネルボンディングによって、RFチャネル１（RF1）とRFチャネル２（RF2）等の複数のチャネルを利用して、データを伝送することができる。次に、図３と図４を参照して、送信側と受信側のチャネルボンディングの処理について説明する。
【００３４】
（送信側のチャネルボンディングの処理）
図３は、送信装置１０におけるチャネルボンディングの処理を示す図である。
【００３５】
図３において、分割部１０２は、入力フォーマット部１０１から入力されるBB(Baseband)パケット（以下、BBP(Baseband Packet)とも記述する）を、RFチャネル１（RF1）の系列に応じた物理層処理部１１１−１と、RFチャネル２（RF2）の系列に応じた物理層処理部１１１−２に分配する。
【００３６】
例えば、分割部１０２は、BBP#1，BBP#2，BBP#3，BBP#4，BBP#5，・・・がその順に入力された場合には、BBP#1，BBP#3，BBP#5，・・・を、物理層処理部１１１−１に出力し、BBP#2，BBP#4，・・・を、物理層処理部１１１−２に出力する。ただし、各BBパケットの拡張ヘッダには、BBパケットの順番を示すBBPカウンタが含まれている。なお、BBPカウンタの詳細については、図５乃至図７を参照して後述する。
【００３７】
物理層処理部１１１−１は、図２のBICM処理部１０３−１乃至OFDM処理部１０６−１に相当し、物理層に関する物理層処理を行う。この物理層処理によって、例えば、誤り訂正処理やビットインターリーブ、直交変調、時間方向や周波数方向のインターリーブなどが行われることで、物理層フレームに対応するOFDM信号が生成され、RFチャネル１（RF1）を含む放送波により送出される。
【００３８】
物理層処理部１１１−２は、図２のBICM処理部１０３−２乃至OFDM処理部１０６−２に相当し、物理層に関する物理層処理が行われ、物理層フレームに対応するOFDM信号が、RFチャネル２（RF2）を含む放送波により送出される。
【００３９】
以上のように、送信装置１０においては、チャネルボンディングの処理が行われることで、対象の入力ストリームを複数の分割ストリームに分割して、RFチャネル１（RF1）とRFチャネル２（RF2）等の複数のチャネルを利用して伝送することができる。
【００４０】
（受信側のチャネルボンディングの処理）
図４は、受信装置２０におけるチャネルボンディングの処理を示す図である。
【００４１】
受信装置２０においては、送信装置１０からのRFチャネル１（RF1）を含む放送波で伝送されるOFDM信号が受信され、物理層処理部２０１−１に入力される。また、受信装置２０では、送信装置１０からのRFチャネル２（RF2）を含む放送波で伝送されるOFDM信号が受信され、物理層処理部２０１−２に入力される。
【００４２】
物理層処理部２０１−１は、RFチャネル１（RF1）を含む放送波で伝送されるOFDM信号に対して物理層に関する物理層処理を行う。この物理層処理によって、物理層フレームに関する処理、周波数方向や時間方向のデインターリーブ、直交復調、ビットデインターリーブ、誤り訂正処理などの処理が行われることで、BBパケットが抽出される。物理層処理部２０１−１により抽出されたBBP#1，BBP#3，BBP#5，・・・は、その順にバッファメモリ２０２−１に保持される。
【００４３】
物理層処理部２０１−２は、RFチャネル２（RF2）を含む放送波で伝送されるOFDM信号に対する物理層処理を行い、この物理層処理により抽出されたBBP#2，BBP#4，・・・を、その順に、バッファメモリ２０２−２に保持させる。
【００４４】
バッファメモリ２０２−１には、BBP#1，BBP#3，BBP#5，・・・がその順に保持され、バッファメモリ２０２−２には、BBP#2，BBP#4，・・・がその順に保持されている。ここで、BBパケットの拡張ヘッダには、BBパケットの順番を示すBBPカウンタが含まれており、このBBPカウンタが、BBパケットごとに、合成部２０３に供給される。なお、BBPカウンタの詳細については、図５乃至図７を参照して後述する。
【００４５】
合成部２０３は、BBカウンタに従い、バッファメモリ２０２−１又はバッファメモリ２０２−２からBBパケットを読み出して、出力する。例えば、合成部２０３は、BBカウンタに従い、BBP#1，BBP#3，BBP#5，・・・を保持するバッファメモリ２０２−１と、BBP#2，BBP#4，・・・を保持するバッファメモリ２０２−２から交互にBBパケットを読み出すことで、BBP#1，BBP#2，BBP#3，BBP#4，BBP#5，・・・がその順に出力されることになる。
【００４６】
なお、BBパケットが抽出される順番は、例えば、物理層のパラメータや、送信装置１０や受信装置２０の実装などによって変わるものであるが、BBパケットの拡張ヘッダに含まれるBBPカウンタを用いることで、正しい順番に並び替えることが可能となる。ここで、物理層のパラメータとしては、例えば、時間インターリーブ処理部１０４（図２）によって、時間方向のインターリーブが行われる際に設定されるパラメータなどがある。
【００４７】
以上のように、受信装置２０においては、チャネルボンディングの処理が行われることで、RFチャネル１（RF1）とRFチャネル２（RF2）等の複数のチャネルを利用して伝送される複数の分割ストリームから、元のストリームを復元（再合成）することができる。
【００４８】
なお、上述した説明では、説明の簡略化のため、RFチャネル１（RF1）とRFチャネル２（RF2）の２つのRFチャネルによるチャネルボンディングについて説明したが、RFチャネル数は、２つに限らず、３つ以上のRFチャネルを利用してチャネルボンディングが行われるようにしてもよい。また、以下の説明では、上述した物理層フレームを、放送パケット（物理層のパケット）とも称して説明するものとする。ただし、この放送パケットは、物理層のパケット（物理層で処理されるパケット）のほかに、放送の経路で伝送されるパケットとしての意味も有している。
【００４９】
（BBPカウンタの構成）
ここで、図５乃至図７を参照して、BBPカウンタの構成について説明する。
【００５０】
図５は、BBパケット(BBP：Baseband Packet)の構成を示している。図５において、BBパケットは、BBPヘッダとペイロード（Payload）から構成される。BBPヘッダには、1又は2バイトの基本フィールド（Base Field）のほか、オプショナルフィールド（Optional Field）と、拡張フィールド（Extension Field）を配置することができる。
【００５１】
すなわち、基本フィールドにおいて、1ビットのモード（MODE）として、"0"が設定された場合には、7ビットのポインタ情報（Pointer(LSB)）が配置される。なお、ポインタ情報は、BBパケットのペイロードに配置されるALP(ATSC Link-layer Protocol)パケットの位置を示すための情報である。
【００５２】
また、モード（MODE）として、"1"が設定された場合には、7ビットのポインタ情報（Pointer(LSB)）と、6ビットのポインタ情報（Pointer(MSB)）と、2ビットのオプショナルフィールドフラグ（OFI）が配置される。オプショナルフィールドフラグ（OFI）は、オプショナルフィールド（Optional Field）と、拡張フィールド（Extension Field）を配置して、ヘッダを拡張するかどうかを示す情報である。
【００５３】
すなわち、図６に示すように、オプショナルフィールドと拡張フィールドの拡張を行わない場合は、オプショナルフィールドフラグ（OFI）には、"00"が設定され、非拡張モード（No Extension Mode）となる。また、1バイトのオプショナルフィールドと、0〜31バイトの拡張フィールドの拡張を行う場合は、オプショナルフィールドフラグ（OFI）には、"01"が設定され、ショート拡張モード（Short Extension Mode）となる。
【００５４】
また、2バイトのオプショナルフィールドと、任意のバイトの拡張フィールドの拡張を行う場合は、オプショナルフィールドフラグ（OFI）には、"10"又は"11"が設定され、ロング拡張モード（Long Extension Mode）又はミックス拡張モード（Mixed Extension Mode）となる。
【００５５】
図５の説明に戻り、ここで、ショート拡張モードの場合、オプショナルフィールドの先頭には、3ビットの拡張タイプ情報（EXT_TYPE）が設定される（図５の「Ａ」）。図７に示すように、この拡張タイプ情報として、"000"が設定された場合には、拡張フィールド（Extension Field）に、5ビットの拡張レングス情報（EXT_LEN）で設定されるバイト数に応じたBBPカウンタ（Counter）が配置される（図７の「Ａ」）。
【００５６】
また、ロング拡張モード又はミックス拡張モードの場合、オプショナルフィールドの先頭には、3ビットの拡張タイプ情報（EXT_TYPE）又は拡張数情報（NUM_EXT）が設定される（図５の「Ａ」）。この拡張タイプ情報又は拡張数情報として、"000"が設定された場合には、拡張フィールド（Extension）に、13ビットの拡張レングス情報（EXT_LEN）で設定されるバイト数に応じたBBPカウンタ（Counter）が配置される（図７の「Ａ」）。
【００５７】
以上のように、BBパケットの拡張ヘッダ（BBPヘッダの拡張フィールド（Extension Field））に、BBパケットの順番を示すBBPカウンタを含めることができる。
【００５８】
＜３．本技術の遅延補償＞
【００５９】
（１）チャネルボンディングの遅延補償
【００６０】
（チャネルボンディングの伝播遅延）
図８は、チャネルボンディングの伝播遅延の概要を説明する図である。
【００６１】
図８においては、放送局の送信装置１０によって、入力ストリームが、２つの分割ストリームに分割され、そのOFDM信号を含む放送波（電波）が、送信所４０−１と送信所４０−２からそれぞれ送出される様子を模式的に表している。なお、図８において、送信所４０−１と送信所４０−２は、異なる場所に設置された送出設備である。
【００６２】
送信所４０−１から送出（送信）される放送波（RFチャネル１を含む放送波）と、送信所４０−２から送出（送信）される放送波（RFチャネル２を含む放送波）は、住宅に設置されたアンテナ５０により受信され、住宅内に設置された受信装置２０（例えばテレビ受像機）により処理される。
【００６３】
すなわち、受信装置２０は、送信所４０−１からの放送波で伝送されるパケット（以下、放送パケットP1ともいう）と、送信所４０−２からの放送波で伝送されるパケット（以下、放送パケットP2ともいう）を処理することで、２つの分割ストリームから、元のストリームを復元（再合成）する。
【００６４】
ここで、送信所４０−１や送信所４０−２等の送出設備から送出される放送波では、その放送波が送出される送出地点から、その放送波が受信される受信地点までの距離に応じた伝播遅延が生じることになる。図８においては、送信所４０−１（の送出地点）からアンテナ５０（の受信地点）までの距離と、送信所４０−２（の送出地点）からアンテナ５０（の受信地点）までの距離とが異なっているため、各送信所から送出される放送波ごとに異なる伝播遅延量を有することになる。
【００６５】
すなわち、複数の送出地点から送出される放送波が、同一の受信地点で受信されるため、受信装置２０で受信される放送パケットは、伝送経路ごとに異なる伝播遅延量を有することになる。そして、受信装置２０においては、このような異なる伝播遅延量を有する放送パケットを処理しても、複数の分割ストリームから元のストリームを、正しく復元（再合成）することができないため、このような伝播遅延を補償する必要がある。
【００６６】
そこで、本技術では、複数の伝送経路ごとに伝送される分割ストリームのデータを格納する放送パケットに、時刻情報が付加されるようにして、この時刻情報を利用して、伝送経路ごとの伝播遅延量の差分値を計測することで、伝播遅延を補償することができるようにする。
【００６７】
例えば、図８においては、送信所４０−１からの放送波で伝送される放送パケットP1は、ペイロード（Payload1）とプリアンブル（Preamble）から構成されるが、このプリアンブルに、時刻情報が含まれるようにする。同様に、送信所４０−２からの放送波で伝送される放送パケットP2は、ペイロード（Payload2）とプリアンブル（Preamble）から構成されるが、このプリアンブルにも、時刻情報が含まれるようにする。
【００６８】
ここで、図９に示すように、送信所４０−１からの放送波で伝送される放送パケットP1と、送信所４０−２からの放送波で伝送される放送パケットP2とは、伝播遅延量が異なっているため、受信装置２０において、それらの放送パケットが入力（受信）されるタイミングが異なっている。図９においては、送信所４０−２からの放送波で伝送される放送パケットP2が、送信所４０−１からの放送波で伝送される放送パケットP1よりも先に入力（受信）されている。
【００６９】
このとき、異なるタイミングで入力（受信）される放送パケットP1と放送パケットP2の先頭の時刻の差分（Δt12）が、送信所４０−１から送出される放送波での伝播遅延の時間T1と、送信所４０−２から送出される放送波での伝播遅延の時間T2との差分（T1-T2）に相当している。そして、これらの放送パケットの時刻の差分（Δt12）が、0になれば、伝播遅延の時間T1と伝播遅延の時間T2との差分（T1-T2）も、0になり、結果として、伝送経路ごとに異なる伝播遅延量を補償することが可能となる。
【００７０】
また、放送パケットP1と放送パケットP2のプリアンブルには、時刻情報が含まれているが、この時刻情報は、対象の放送パケットが、送信装置１０から送出される時刻、すなわち、送信所４０−１又は送信所４０−２から送出される時刻（絶対時刻）を表している。この例では、送信所４０−１からの放送波で伝送される放送パケットP1のプリアンブルと、送信所４０−２からの放送波で伝送される放送パケットP2のプリアンブルには、同一の時刻t1を示す時刻情報がそれぞれ含まれている。
【００７１】
したがって、送信所４０−１と送信所４０−２から送出される放送波を、アンテナ５０を介して受信する受信装置２０においては、同一の時刻t1を示す時刻情報を有する放送パケットの間の遅延（図９の放送パケットP1と放送パケットP2との遅延）がなくなるようにすれば、伝送経路ごとに異なる伝播遅延量が補償されることになる。そして、受信装置２０では、この伝播遅延量が補償された放送パケットを処理することで、複数の分割ストリームから元のストリームを、正しく復元（再合成）することができる。
【００７２】
このように、本技術では、複数の伝送経路ごとに伝送される放送パケットであって、同一の時刻を示す時刻情報を有する放送パケットの間の遅延をなくすために、先に入力（受信）された放送パケット（例えば、図９の放送パケットP2）が、その後に入力（受信）される放送パケット（例えば、図９の放送パケットP1）が入力（受信）されるまで、遅延されるようにして、それらのパケットの間の遅延（例えば、図９の放送パケットP1と放送パケットP2との遅延）がなくなるようにする（遅延を0にする）。
【００７３】
換言すれば、ここでは、複数の伝送経路ごとに伝送される放送パケットであって、同一の時刻を示す時刻情報を有する放送パケットのうち、最も遅れている放送パケットP1を基準パケットとして、他のパケット（放送パケットP2）が遅延されるようにする。これにより、受信装置２０では、放送の経路を含む複数の伝送経路ごとに異なる伝播遅延量が補償されることになる。
【００７４】
（伝播遅延補償部の構成例）
図１０には、受信装置２０において、伝送経路ごとに異なる伝播遅延量を補償するための伝播遅延補償部２１１の構成例が示されている。伝播遅延補償部２１１は、複数の伝送経路ごとに伝送される放送パケットであって、同一の時刻を示す時刻情報を含む放送パケットの間の遅延をなくすために、伝播遅延量計測部２２１、遅延部２２２−１、及び、遅延部２２２−２を有している。
【００７５】
図１０においては、送信所４０−１からの放送波で伝送される放送パケットP1と、送信所４０−２からの放送波で伝送される放送パケットP2とは、伝播遅延量が異なっているため、受信装置２０で入力（受信）されるタイミングが異なっている。ここで、伝播遅延量計測部２２１は、送信所４０−１と送信所４０−２から送出される放送波で伝送される放送パケットを監視することで、放送パケットP1の先頭の時刻と、放送パケットP2の先頭の時刻との差分（Δt12）を計測する。
【００７６】
伝播遅延量計測部２２１においては、これらの放送パケットの時刻の差分（Δt12）を計測することで、送信所４０−１から送出される放送波での伝播遅延の時間T1と、送信所４０−２から送出される放送波での伝播遅延の時間T2との差分（T1-T2）が求められる。すなわち、放送パケットP1と放送パケットP2の入力時刻（受信時刻）の差分（Δt12）を計測することで、それらの放送パケットの伝播遅延量の差分（T1-T2）が計測されることになる。
【００７７】
そして、伝播遅延量計測部２２１では、この伝播遅延量の差分（T1-T2）に応じた遅延時間が、遅延部２２２−１又は遅延部２２２−２に供給されるようにする。
【００７８】
伝播遅延補償部２１１において、遅延部２２２−１には、送信所４０−１からの放送波で伝送される放送パケットP1が入力され、遅延部２２２−２には、送信所４０−２からの放送波で伝送される放送パケットP2が入力される。また、遅延部２２２−１又は遅延部２２２−２には、伝播遅延量計測部２２１からの遅延時間が供給されるので、この遅延時間に応じて、入力される放送パケットP1又は放送パケットP2が遅延されることになる。
【００７９】
ここでは、例えば、送信所４０−２からの放送波で伝送される放送パケットP2が先に入力され、その後に、送信所４０−１からの放送波で伝送される放送パケットP1が入力された場合、伝播遅延量計測部２２１によって、放送パケットP1と放送パケットP2との入力時刻の差分（Δt12）が計測されることで、それらの放送パケットの伝播遅延量の差分（T1-T2）に応じた遅延時間が、遅延部２２２−２に供給される。
【００８０】
伝播遅延補償部２１１において、遅延部２２２−２は、伝播遅延量計測部２２１からの遅延時間に従い、送信所４０−２からの放送波で伝送される放送パケットP2を遅延させる。すなわち、遅延部２２２−２では、伝播遅延補償部２１１（の遅延部２２２−１）に、送信所４０−１からの放送波で伝送される放送パケットP1が入力されるまで、放送パケットP2が遅延される。
【００８１】
そして、伝播遅延補償部２１１においては、送信所４０−１からの放送波で伝送される放送パケットP1が入力されると、遅延部２２２−１を通過した放送パケットP1と、遅延部２２２−２で遅延されていた放送パケットP2とが、同時に出力される。なお、このとき、送信所４０−１からの放送波で伝送される放送パケットP1は、遅延部２２２−１では遅延されずに（0遅延で）、そのまま出力される。
【００８２】
これにより、複数の伝送経路（送信所４０−１や送信所４０−２を経由した経路）ごとに伝送される放送パケットであって、同一の時刻t1を示す時刻情報を有する放送パケットP1と放送パケットP2との間の遅延がなくなり（遅延が0になり）、結果として、複数の伝送経路（送信所４０−１や送信所４０−２を経由した経路）ごとに異なる伝播遅延量が補償されることになる。
【００８３】
なお、受信装置２０においては、送信所４０−１から送出される放送波での伝播遅延の時間T1と、送信所４０−２から送出される放送波での伝播遅延の時間T2とを計測することはできないが、このような伝送経路ごとの伝播遅延の時間（T1やT2）を推定することができれば、その推定結果を用いて伝播遅延を補償することはできる。しかしながら、仮に、このような伝播遅延の時間の推定を行う場合には、伝播遅延時間を推定するための回路や複雑な処理などを要することになる。
【００８４】
一方で、本技術では、単に、放送パケットに付加された時刻情報を利用して、同一の時刻を示す時刻情報を含む放送パケットの間の伝播遅延量（遅延量）をいわば間接的に計測し、その計測結果に従い、特定のパケットを遅延させるだけで、伝播遅延を補償することができる。すなわち、本技術では、伝播遅延の時間を推定するための回路や複雑な処理を要することなく、より簡素化された構成で、遅延補償（伝播遅延補償）を行うことができる。さらに、本技術では、より簡素化された構成とすることができるので、制御が容易になるというメリットもある。
【００８５】
（伝播遅延補償処理を行う場所）
次に、図１１乃至図１３を参照して、チャネルボンディングの機能を有する受信装置２０において、図１０の伝播遅延補償部２１１による伝播遅延補償処理を行う場所について説明する。ここでは、比較のため、まず、図１１を参照して、従来の方式の構成について説明してから、その後に、図１２及び図１３を参照して、本技術の方式の構成について説明する。
【００８６】
（従来の方式の構成）
図１１のＡには、従来の方式１の構成を図示している。
【００８７】
図１１のＡにおいて、信号入力部２３１−１は、そこに入力される、送信所４０−１からの放送波（RFチャネル１を含む放送波）で伝送されるOFDM信号を処理して、信号処理部２３２−１に出力する。信号処理部２３２−１は、信号入力部２３１−１からのデータに対する物理層処理を行い、合成部２０３に出力する。ただし、この物理層処理では、物理層フレーム（物理層のパケット）に関する処理やデインターリーブ処理、誤り訂正処理などの処理が行われる。
【００８８】
また、信号入力部２３１−２は、そこに入力される、送信所４０−２からの放送波（RFチャネル２を含む放送波）で伝送されるOFDM信号を処理して、信号処理部２３２−２に出力する。信号処理部２３２−２は、信号入力部２３１−２からのデータに対する物理層処理を行い、合成部２０３に出力する。
【００８９】
合成部２０３は、信号入力部２３１−１から入力される放送パケットと、信号入力部２３１−２から入力される放送パケットを並び替えて、信号出力部２３３に出力する。信号出力部２３３は、合成部２０３から入力される放送パケット（並び替え後の放送パケット）に対して必要な処理を施し、それにより得られるデータを、後段の回路に出力する。
【００９０】
以上のように、従来の方式１では、複数の伝送経路ごとに伝送される放送パケットが処理されるが、伝播遅延補償処理が行われていないため、受信装置２０で処理される放送パケットは、伝送経路ごとに異なる伝播遅延量を有したままとなる。そのため、受信装置２０では、このような異なる伝播遅延量を有する放送パケットを処理しても、複数の分割ストリームから元のストリームを、正しく復元（再合成）することはできない。
【００９１】
図１１のＢには、従来の方式２の構成を図示している。
【００９２】
図１１のＢの構成では、図１１のＡの構成と比べて、信号処理部２３２の前段と後段にバッファメモリが設けられている。すなわち、信号入力部２３１−１からのデータがバッファメモリ２４１−１に保持され、信号入力部２３１−２からのデータがバッファメモリ２４１−２に保持される。信号処理部２３２は、バッファメモリ２４１−１又はバッファメモリ２４１−２に保持されたデータを適宜読み出して、物理層処理を行う。
【００９３】
信号処理部２３２において、バッファメモリ２４１−１からのデータに対する物理層処理で得られる放送パケットは、バッファメモリ２４２−１に保持され、バッファメモリ２４１−２からのデータに対する物理層処理で得られる放送パケットは、バッファメモリ２４２−２に保持される。
【００９４】
合成部２０３は、バッファメモリ２４２−１又はバッファメモリ２４２−２に保持された放送パケットを適宜読み出し、信号処理部２３２で処理された放送パケットを並び替えて、信号出力部２３３に出力する。信号出力部２３３は、合成部２０３から入力される放送パケット（並び替え後の放送パケット）に対して必要な処理を施し、それにより得られるデータを、後段の回路に出力する。
【００９５】
以上のように、従来の方式２においては、信号処理部２３２の前段と後段にバッファメモリを設けることで、いわゆる時分割方式によって、複数の系列からのデータを１つの信号処理部２３２で処理して、元の系列に戻すことができる。このように、従来の方式２では、上述した従来の方式１と比べて、信号処理部２３２による物理層処理が系列ごとに時分割で行われるため、回路を削減することができる。
【００９６】
しかしながら、従来の方式２においても、伝播遅延補償処理が行われていないため、受信装置２０で処理される放送パケットは、伝送経路ごとに異なる伝播遅延量を有したままとなる。そのため、受信装置２０では、このような異なる伝播遅延量を有する放送パケットを処理しても、複数の分割ストリームから元のストリームを、正しく復元（再合成）することはできない。
【００９７】
（本技術の方式１の構成例）
図１２には、本技術の方式１を採用した場合の構成例を図示している。
【００９８】
図１２の構成では、上述した図１１のＡの構成と比べて、信号処理部２３２−１及び信号処理部２３２−２と、合成部２０３との間に、伝播遅延補償部２１１が設けられている。この伝播遅延補償部２１１は、伝播遅延量計測部２２１、遅延部２２２−１、及び、遅延部２２２−２から構成される。なお、遅延部２２２−１と、遅延部２２２−２は、上述した図４のバッファメモリ２０２−１と、バッファメモリ２０２−２にも相当するものである。
【００９９】
信号入力部２３１−１は、そこに入力される、送信所４０−１から送出される放送波（RFチャネル１を含む放送波）で伝送されるOFDM信号を処理して、信号処理部２３２−１に出力する。信号処理部２３２−１は、信号入力部２３１−１からのデータに対する物理層処理を行い、それにより得られる放送パケット（BBパケット）を、伝播遅延補償部２１１の遅延部２２２−１に出力する。ただし、この物理層処理では、物理層フレーム（物理層のパケット）に関する処理やデインターリーブ処理、誤り訂正処理などの処理が行われる。
【０１００】
信号入力部２３１−２は、そこに入力される、送信所４０−２から送出される放送波（RFチャネル２を含む放送波）で伝送されるOFDM信号を処理して、信号処理部２３２−２に出力する。信号処理部２３２−２は、信号入力部２３１−２からのデータに対する物理層処理を行い、それにより得られる放送パケット（BBパケット）を、伝播遅延補償部２１１の遅延部２２２−２に出力する。
【０１０１】
ここで、伝播遅延補償部２１１において、伝播遅延量計測部２２１は、信号処理部２３２−１で処理される放送パケットP1（図９や図１０等）と、信号処理部２３２−２で処理される放送パケットP2（図９や図１０等）を監視して、同一の時刻を示す時刻情報を有する放送パケットの入力時刻（受信時刻）の差分（Δt12）を計測することで、それらの放送パケットの伝播遅延量の差分（T1-T2）を計測する。伝播遅延量計測部２２１は、この間接的に計測された伝播遅延量の差分（T1-T2）に応じた遅延時間を、遅延部２２２−１又は遅延部２２２−２に供給する。
【０１０２】
例えば、放送パケットP1が信号処理部２３２−１で処理され、放送パケットP2が信号処理部２３２−２で処理される場合において、時刻t1を示す時刻情報を含む放送パケットP2が先に入力（受信）され、その後に、時刻t1を示す時刻情報を含む放送パケットP1が入力（受信）された場合、それらの放送パケットの伝播遅延量の差分（T1-T2）に応じた遅延時間が、遅延部２２２−２に供給される。
【０１０３】
伝播遅延補償部２１１において、遅延部２２２−１及び遅延部２２２−２は、バッファメモリに相当しているが、遅延部２２２−２は、伝播遅延量計測部２２１からの遅延時間に従い、信号処理部２３２−２から入力される放送パケット（BBパケット）を遅延させる。一方で、遅延部２２２−１においては、信号処理部２３２−１から入力される放送パケット（BBパケット）に対する遅延は不要である。
【０１０４】
合成部２０３は、例えば、BBパケットの拡張ヘッダに含まれるBBPカウンタに従い、バッファメモリとしての遅延部２２２−１及び遅延部２２２−２に保持されている放送パケット（BBパケット）を適宜読み出して、物理層処理が施された放送パケット（BBパケット）を並び替えて、信号出力部２３３に出力する。
【０１０５】
この場合において、遅延部２２２−２から読み出される放送パケット（BBパケット）は、伝播遅延量の差分（T1-T2（=Δt12））に応じた遅延時間だけ遅延される一方で、遅延部２２２−１から読み出される放送パケット（BBパケット）は、遅延されていない（0遅延となっている）。これにより、複数の伝送経路（送信所４０−１や送信所４０−２を経由した経路）ごとに伝送される放送パケットであって、同一の時刻t1を示す時刻情報を含む放送パケットP1と放送パケットP2との間の遅延がなくなり（遅延が0になり）、結果として、複数の伝送経路ごとに異なる伝播遅延量が補償されることになる。
【０１０６】
なお、ここでは、放送パケットP1よりも、放送パケットP2のほうが先に入力（受信）される場合を説明したが、放送パケットP2よりも、放送パケットP1のほうが先に入力（受信）される場合には、それらの放送パケットの伝播遅延量の差分（T1-T2）に応じた遅延時間が、伝播遅延量計測部２２１から、遅延部２２２−１に供給される。そして、伝播遅延補償部２１１においては、遅延部２２２−１が、その遅延時間に応じて、信号処理部２３２−１から入力される放送パケット（BBパケット）を遅延させることになる。
【０１０７】
信号出力部２３３は、合成部２０３から入力される放送パケット（並び替え後の放送パケット）に対して必要な処理を施し、それにより得られるデータを、後段の回路に出力する。ここでは、例えば、信号出力部２３３によって、並び替え後のBBパケットが処理され、それにより得られるIPパケットが、後段の回路に出力される。
【０１０８】
以上のように、本技術の方式１においては、複数の伝送経路ごとに伝送される放送パケットが処理されるが、伝播遅延補償部２１１によって、伝播遅延補償処理が行われ、同一の時刻を示す時刻情報を有する放送パケットの間の遅延をなくして、伝送経路ごとに異なる伝播遅延量が補償されている。そのため、受信装置２０では、このような伝播遅延量が補償された放送パケットを処理することで、複数の分割ストリームから元のストリームを、正しく復元（再合成）することができる。
【０１０９】
また、本技術の方式１においては、伝播遅延補償部２１１によって、放送パケットに含まれる時刻情報を利用して、同一の時刻を示す時刻情報を含む放送パケットの間の伝播遅延量をいわば間接的に計測し、その計測結果に従い、特定の放送パケットを遅延させるだけで、伝播遅延を補償することができる。すなわち、本技術の方式１では、伝播遅延の時間を推定するための回路や複雑な処理を要することなく、より簡素化された構成で、伝播遅延補償を行うことができる。
【０１１０】
（本技術の方式２の構成例）
図１３には、本技術の方式２を採用した場合の構成例を図示している。
【０１１１】
図１３の構成では、上述した図１１のＡの構成と比べて、信号入力部２３１、信号処理部２３２、及び、信号出力部２３３の前段に、伝播遅延補償部２１１と、合成部２０３が配置されている。この伝播遅延補償部２１１は、伝播遅延量計測部２２１、遅延部２２２−１、及び、遅延部２２２−２から構成される。なお、遅延部２２２−１と、遅延部２２２−２は、上述した図４のバッファメモリ２０２−１と、バッファメモリ２０２−２にも相当するものである。
【０１１２】
伝播遅延補償部２１１においては、伝播遅延量計測部２２１が、信号処理部２３２で処理される放送パケットP1（図９や図１０等）と、放送パケットP2（図９や図１０等）を監視して、同一の時刻を示す時刻情報を有する放送パケットの入力時刻（受信時刻）の差分（Δt12）を計測することで、それらの放送パケットの伝播遅延量の差分（T1-T2）を計測する。伝播遅延量計測部２２１は、計測された伝播遅延量の差分（T1-T2）に応じた遅延時間を、遅延部２２２−１又は遅延部２２２−２に供給する。
【０１１３】
例えば、放送パケットP1と放送パケットP2が信号処理部２３２で処理される場合において、時刻t1を示す時刻情報を含む放送パケットP2が先に入力（受信）され、その後に、時刻t1を示す時刻情報を含む放送パケットP1が入力（受信）された場合、それらの放送パケットの伝播遅延量の差分（T1-T2）に応じた遅延時間が、遅延部２２２−２に供給される。
【０１１４】
伝播遅延補償部２１１において、遅延部２２２−２には、送信所４０−２から送出される放送波で伝送されるOFDM信号を処理して得られるデータ（放送パケット）が入力され、保持される。遅延部２２２−２は、伝播遅延量計測部２２１から供給される遅延時間に従い、そこに入力されるデータ（放送パケット）を遅延させる。一方で、遅延部２２２−１においては、送信所４０−１から送出される放送波で伝送されるOFDM信号を処理して得られるデータ（放送パケット）に対する遅延は不要である。
【０１１５】
合成部２０３は、バッファメモリとしての遅延部２２２−１及び遅延部２２２−２に保持されているデータ（放送パケット）を適宜読み出して、放送パケットを並び替える。このようにして並び替えられた放送パケットは、信号入力部２３１に出力される。
【０１１６】
この場合において、遅延部２２２−２から読み出される放送パケットは、伝播遅延量の差分（T1-T2（=Δt12））に応じた遅延時間だけ遅延される一方で、遅延部２２２−１から読み出される放送パケットは、遅延されていない（0遅延となっている）。これにより、複数の伝送経路（送信所４０−１や送信所４０−２を経由した経路）ごとに伝送される放送パケットであって、同一の時刻t1を示す時刻情報を含む放送パケットP1と放送パケットP2との間の遅延がなくなり（遅延が0になり）、結果として、複数の伝送経路ごとに異なる伝播遅延量が補償されることになる。
【０１１７】
なお、ここでも、放送パケットP1よりも、放送パケットP2のほうが先に入力（受信）される場合を説明したが、放送パケットP2よりも、放送パケットP1のほうが先に入力（受信）される場合には、遅延されるパケットが、放送パケットP1となるだけで、同様に処理を行うことができる。
【０１１８】
以上のように、本技術の方式２においては、OFDM信号を処理（復調）した後に、伝播遅延補償処理が行われるようにすることで、合成部２０３の後段の回路を、１つの系統に統合することができる。また、本技術の方式２においても、伝播遅延補償部２１１によって、伝播遅延補償処理が行われ、同一の時刻を示す時刻情報を有する放送パケットの間の遅延をなくして、伝送経路ごとに異なる伝播遅延量が補償されている。そのため、受信装置２０では、このような伝播遅延量が補償された放送パケットを処理することで、複数の分割ストリームから元のストリームを、正しく復元（再合成）することができる。
【０１１９】
また、本技術の方式２においては、伝播遅延補償部２１１によって、放送パケットに含まれる時刻情報を利用して、同一の時刻を示す時刻情報を含む放送パケットの間の伝播遅延量をいわば間接的に計測し、その計測結果に従い、特定の放送パケットを遅延させるだけで、伝播遅延を補償することができる。すなわち、本技術の方式２では、伝播遅延の時間を推定するための回路や複雑な処理を要することなく、より簡素化された構成で、伝播遅延補償を行うことができる。
【０１２０】
なお、上述した説明では、時刻情報として、対象の物理層フレーム（物理層のパケット）が、送信設備（送信装置１０）から送出される時刻（絶対時刻）を表しているとして説明したが、この時刻情報は、物理層フレーム（物理層のパケット）のストリームにおける所定の位置の絶対的な時刻を表しているとも言える。
【０１２１】
ここで、ストリームにおける所定の位置の時刻とは、所定の位置のビットが、送信装置１０で処理されている最中の所定のタイミングの時刻である。このような、所定の位置のビットが送信装置１０で処理されている最中の所定のタイミングの時刻としては、例えば、送信装置１０のあるブロックから、所定の位置のビットが出力されたときのタイミングの時刻や、送信装置１０のあるブロックで、所定の位置のビットの処理が行われたタイミングの時刻などがある。
【０１２２】
また、放送パケットに付加される時刻情報としては、例えば、PTP(Precision Time Protocol)で規定される時刻の情報を用いることができる。また、上述した説明では、伝播遅延を補償する対象の放送パケットが、同一の時刻（例えば時刻t1）を示す時刻情報を有していることを前提として説明したが、伝播遅延を補償すべき対象の放送パケットを特定できる時刻情報であれば、必ずしも同一の時刻を示している必要はない。
【０１２３】
なお、上述した説明では、説明の都合上、放送局の送信装置１０が単独で、マルチプレクサや変調部などの構成を有するような説明をしたが、一般的なデジタル放送のシステムでは、マルチプレクサと変調部などは、異なる場所に設置されるものである。すなわち、例えば、図８においては、送信所４０−１と送信所４０−２に対して、送信装置１０を点線で表しているが、これは、送信装置１０の一部の機能（例えば変調部）が、送信所４０−１と送信所４０−２に設置されていることを表現している。この場合、送信装置１０の他の機能（例えばマルチプレクサ）は、例えば、放送局内に設置されることになる。
【０１２４】
また、上述した説明では、複数の伝送経路として、チャネルボンディングの対象となる複数の放送の経路（送信所４０−１や送信所４０−２を経由した経路）が含まれる場合を中心に説明したが、放送の経路は、チャネルボンディングの対象の経路である必要はない。すなわち、受信装置２０は、チャネルボンディングの対象ではない複数の放送の経路からの放送波（電波）を受信する場合に、伝播遅延補償処理を行うことで、当該複数の放送の経路ごとに異なる伝播遅延量を補償することができる。
【０１２５】
さらに、上述した説明では、複数の伝送経路（放送の経路）ごとに異なる伝播遅延量を補償する場合を説明したが、複数の伝送経路ごとに補償される遅延は、伝播遅延に限らず、他の遅延が補償されるようにしてもよい。例えば、放送波を伝送するための物理層のパラメータ（送信パラメータ）や、送信装置１０や受信装置２０の実装などによっても、信号遅延などの遅延が生じることが想定されるが、受信装置２０では、遅延補償処理（伝播遅延補償処理）を行うことで、信号遅延などの遅延を補償することができる。
【０１２６】
また、上述した説明では、複数の伝送経路として、RFチャネル１（RF1）とRFチャネル２（RF2）に対応した２つの放送の経路を一例に説明したが、伝送経路は、２つに限らず、３つ以上の伝送経路を対象にすることができる。また、伝送経路は、放送の経路に限らず、後述するように、通信の経路などの他の経路が含まれるようにしてもよい。
【０１２７】
（２）放送・通信連携の遅延補償
【０１２８】
上述した説明では、複数の伝送経路として、放送の経路（送信所４０−１や送信所４０−２を経由した経路）について説明したが、伝送経路としては、放送の経路に限らず、例えば、通信の経路を含めることができる。そこで、以下、図１４乃至図１６を参照して、複数の伝送経路として、放送の経路とともに、通信の経路を含む場合の遅延補償について説明する。
【０１２９】
（放送・通信連携の伝播遅延）
図１４は、放送・通信連携の伝播遅延の概要を説明する図である。
【０１３０】
図１４においては、図８と同様に、送信所４０−１から送出される放送波（RFチャネル１を含む放送波）と、送信所４０−２から送出される放送波（RFチャネル２を含む放送波）が、住宅に設置されたアンテナ５０により受信され、住宅内に設置された受信装置２０（例えば通信機能を有するテレビ受像機）により処理される。また、この受信装置２０は、インターネット４０−３を介してサーバ６０と接続され、インターネット４０−３を介してデータをやりとりすることができる。なお、以下の説明では、インターネット４０−３を経由して伝送されるパケットを、通信パケットP3とも称する。
【０１３１】
ここで、送信所４０−１や送信所４０−２などの各送信所から送出される放送波ごとに異なる伝播遅延量を有することは先に述べた通りである。また、受信装置２０とサーバ６０が、インターネット４０−３を介して通信を行う場合にも、遅延（伝播遅延）が生じることになる。したがって、受信装置２０で受信されるパケット（放送パケットや通信パケット）は、放送の経路と通信の経路を含む複数の経路ごとに、異なる伝播遅延量を有することになるため、このような伝播遅延を補償する必要がある。
【０１３２】
そこで、本技術では、複数の伝送経路として、放送の経路とともに通信の経路が含まれる場合に、通信の経路で伝送される通信パケットにも、時刻情報が付加されるようにして、この時刻情報を用いて、伝送経路ごとの伝播遅延量の差分値を計測することで、伝播遅延を補償することができるようにする。
【０１３３】
例えば、図１４において、送信所４０−１からの放送波で伝送される放送パケットP1のプリアンブルと、送信所４０−２からの放送波で伝送される放送パケットP2のプリアンブルには、時刻情報が含まれている。同様に、サーバ６０からインターネット４０−３を介して伝送される通信パケットP3にも、時刻情報が含まれるようにする。
【０１３４】
ここで、図１５に示すように、送信所４０−１からの放送波で伝送される放送パケットP1と、送信所４０−２からの放送波で伝送される放送パケットP2と、サーバ６０からインターネット４０−３を介して伝送される通信パケットP3とは、伝播遅延量が異なっているため、受信装置２０において、それらのパケットが入力（受信）されるタイミングが異なっている。
【０１３５】
図１５においては、複数の伝送経路（送信所４０−１や送信所４０−２を経由した経路、インターネット４０−３を経由した経路）ごとに伝送されるパケットであって、同一の時刻t1を示す時刻情報を有するパケットが、放送パケットP2、通信パケットP3、放送パケットP1の順に入力（受信）されているので、最も遅れている放送パケットP1を基準パケットとして、他のパケット（放送パケットP2と、通信パケットP3）が遅延されるようにする。
【０１３６】
すなわち、放送パケットP1の先頭の時刻と、放送パケットP2の先頭の時刻との差分（Δt12）を0にすれば、伝播遅延の時間T1と伝播遅延の時間T2との差分（T1-T2）も0になる。また、放送パケットP1の先頭の時刻と、通信パケットP3の先頭の時刻との差分（Δt13）を0にすれば、伝播遅延の時間T1と伝播遅延の時間T3との差分（T1-T3）も0になる。このように、放送パケットP1を基準パケットとして、他のパケット（放送パケットP2と、通信パケットP3）との時刻の差分を0にすることで、結果として、伝送経路ごとに異なる伝播遅延量を補償することが可能となる。
【０１３７】
具体的には、先に入力（受信）されたパケット（例えば、図１５の放送パケットP2と通信パケットP3）が、その後に入力（受信）されるパケット（例えば、図１５の放送パケットP1）が入力（受信）されるまで、遅延されるようにして、それらのパケットの間の遅延（例えば、図１５の放送パケットP1と、放送パケットP2及び通信パケットP3との遅延）がなくなるようにする（遅延を0にする）。これにより、受信装置２０では、放送の経路と通信の経路を含む複数の伝送経路ごとに異なる伝播遅延量が補償されることになる。
【０１３８】
（複数の伝送経路に通信の経路を含む場合の構成例）
図１６は、複数の伝送経路に通信の経路を含む場合の構成例を示す図である。
【０１３９】
図１６の構成では、上述した図１２の構成と比べて、送信所４０−１から送出される放送波（RFチャネル１を含む放送波）と、送信所４０−２から送出される放送波（RFチャネル２を含む放送波）の系列の他に、通信回線（インターネット４０−３）の系列からの信号が入力される。
【０１４０】
信号入力部２３１−１は、そこに入力される、送信所４０−１から送出される放送波で伝送されるOFDM信号を処理して、信号処理部２３２−１に出力する。信号処理部２３２−１は、信号入力部２３１−１からのデータに対する物理層処理を行い、それにより得られる放送パケット（BBパケット）を、信号出力部２３３−１に出力する。信号出力部２３３−１は、信号処理部２３２−１から入力される放送パケット（BBパケット）に対して必要な処理を施し、それにより得られるIPパケットを、伝播遅延補償部２１１の遅延部２２２−１に出力する。
【０１４１】
信号入力部２３１−２には、そこに入力される、送信所４０−２から送出される放送波で伝送されるOFDM信号を処理して、信号処理部２３２−２に出力する。信号処理部２３２−２は、信号入力部２３１−２からのデータに対する物理層処理を行い、それにより得られる放送パケット（BBパケット）を、信号出力部２３３−２に出力する。信号出力部２３３−２は、信号処理部２３２−２から入力される放送パケット（BBパケット）に対して必要な処理を施し、それにより得られるIPパケットを、伝播遅延補償部２１１の遅延部２２２−２に出力する。
【０１４２】
また、受信装置２０においては、サーバ６０からインターネット４０−３を介して伝送されてくる通信パケット（IPパケット）が受信され、伝播遅延補償部２１１の遅延部２２２−３に入力される。
【０１４３】
ここで、伝播遅延補償部２１１において、伝播遅延量計測部２２１は、信号処理部２３２−１で処理される放送パケットP1（図１５等）と、信号処理部２３２−２で処理される放送パケットP2（図１５等）と、インターネット４０−３を介して受信された通信パケットP3（図１５等）を監視する。そして、伝播遅延量計測部２２１は、同一の時刻を示す時刻情報を有する放送パケットと通信パケットの入力時刻（受信時刻）の差分（Δt12，Δt13）を計測することで、それらのパケットの伝播遅延量の差分（T1-T2，T1-T3）を計測する。
【０１４４】
伝播遅延量計測部２２１は、この間接的に計測された伝播遅延量の差分（T1-T2，T1-T3）に応じた遅延時間を、遅延部２２２−１、遅延部２２２−２、又は遅延部２２２−３に供給する。
【０１４５】
例えば、放送パケットP1が信号処理部２３２−１で処理され、放送パケットP2が信号処理部２３２−２で処理され、さらに通信パケットP3が入力（受信）される場合に、同一の時刻t1を示す時刻情報を有するパケットが、放送パケットP2、通信パケットP3、放送パケットP1の順に受信されるとき、それらのパケットの伝播遅延量の差分（T1-T2，T1-T3）に応じた遅延時間が、遅延部２２２−２と、遅延部２２２−３に供給される。
【０１４６】
伝播遅延補償部２１１において、遅延部２２２−１乃至遅延部２２２−３は、バッファメモリに相当しているが、遅延部２２２−２は、伝播遅延量計測部２２１からの遅延時間（T1-T2（=Δt12）に応じた遅延時間）に従い、信号出力部２３３−２から入力される放送パケット（IPパケット）を遅延させる。また、遅延部２２２−３は、伝播遅延量計測部２２１からの遅延時間（T1-T3（=Δt13）に応じた遅延時間）に従い、インターネット４０−３を介して受信された通信パケット（IPパケット）を遅延させる。一方で、遅延部２２２−１においては、信号出力部２３３−１から入力される放送パケット（IPパケット）に対する遅延は不要である。
【０１４７】
合成部２０３は、バッファメモリとしての遅延部２２２−１乃至遅延部２２２−３に保持されている放送パケット（IPパケット）と通信パケット（IPパケット）を適宜読み出して、IPパケットとしての放送パケットと通信パケットを並び替える。このようにして並び替えられた放送パケット（IPパケット）と通信パケット（IPパケット）は、後段の回路に出力される。
【０１４８】
この場合において、遅延部２２２−２から読み出される放送パケット（IPパケット）は、伝播遅延量の差分（T1-T2（=Δt12））に応じた遅延時間だけ遅延され、遅延部２２２−３から読み出される通信パケット（IPパケット）は、伝播遅延量の差分（T1-T3（=Δt13））に応じた遅延時間だけ遅延されている。一方で、遅延部２２２−１から読み出される放送パケット（IPパケット）は、遅延されていない（0遅延となっている）。
【０１４９】
これにより、複数の伝送経路（送信所４０−１や送信所４０−２、インターネット４０−３を経由した経路）ごとに伝送されるパケットであって、同一の時刻を示す時刻情報を含む放送パケットP1と、放送パケットP2と、通信パケットP3との間の遅延がなくなる（遅延が0になる）ことになる。その結果として、複数の伝送経路ごとに異なる伝播遅延量が補償されることになる。
【０１５０】
なお、ここでは、複数の伝送経路ごとに伝送されるパケットであって、同一の時刻を示す時刻情報を有するパケットのうち、最も遅れている放送パケットP1を基準パケットとして、他のパケット（放送パケットP2と、通信パケットP3）が遅延されるようにしたが、放送パケットP2と又は通信パケットP3が最も遅れている場合には、放送パケットP2と又は通信パケットP3を基準パケットとして、他のパケットが遅延されるようにすればよい。
【０１５１】
以上のように、複数の伝送経路に放送の経路とともに、通信の経路を含む場合であっても、伝播遅延補償部２１１によって、伝播遅延補償処理が行われ、同一の時刻を示す時刻情報（タイムスタンプ）を有する放送パケットと通信パケットの間の遅延をなくして（遅延のばらつきを抑制して）、伝送経路ごとに異なる伝播遅延量が補償されている。そのため、受信装置２０では、このような伝播遅延量が補償された放送パケットと通信パケットを処理することで、複数の分割ストリームから元のストリームを、正しく復元（再合成）することができる。
【０１５２】
なお、通信パケットに付加される時刻情報としては、例えば、NTP(Network Time Protocol)で規定される時刻の情報を用いることができる。また、インターネット４０−３等の通信の経路の場合、伝播遅延以外の他の遅延も想定されるが、ここでは、伝播遅延を一例に説明した。ただし、伝播遅延以外の他の遅延を考慮するようにしてもよい。
【０１５３】
（３）送出設備ごとに時刻がずれている場合の遅延補償
【０１５４】
ところで、上述した説明では、複数の伝送経路ごとに異なる伝播遅延量の補償について説明したが、送信所４０−１や送信所４０−２等の送出設備ごとに放送パケットの送出タイミングがずれている場合がある。このような場合であっても、同一の時刻を示す時刻情報を有する放送パケットについて、最も遅れている放送パケットを基準パケットとして、他のパケットを遅延させることで、結果として、伝播遅延とともに、送出設備ごとの時刻のずれも補償することができる。
【０１５５】
図１７は、送出設備ごとに時刻がずれている場合の遅延補償を説明する図である。
【０１５６】
図１７において、送信所４０−１からの放送波（RFチャネル１を含む放送波）で伝送される放送パケットP1と、送信所４０−２からの放送波（RFチャネル２を含む放送波）で伝送される放送パケットP2とは、伝播遅延量が異なっているのと、送出設備ごとに送出タイミングがずれているため、受信装置２０において、それらの放送パケットが入力（受信）されるタイミングが異なっている。
【０１５７】
図１７においては、複数の伝送経路（送信所４０−１や送信所４０−２を経由した経路）ごとに伝送される放送パケットであって、同一の時刻t1を示す時刻情報を有する放送パケットが、放送パケットP2、放送パケットP1の順に受信されているので、最も遅れている放送パケットP1を基準パケットとして、他のパケット（放送パケットP2）が遅延されるようにする。
【０１５８】
すなわち、時刻t1を示す時刻情報を含む放送パケットP1の先頭の時刻と、時刻t1を示す時刻情報を含む放送パケットP2の先頭の時刻との差分（Δt12）を0にすれば、伝播遅延の時間T1と伝播遅延の時間T2との差分（T1-T2）と、送出設備ごとの時刻のずれ（送信所４０−１と送信所４０−２の時刻の差）とを足し合わせたものが0となる。これにより、複数の伝送経路ごとに異なる伝播遅延量と、送出設備ごとの放送パケットの送出時刻のずれを補償することが可能となる。
【０１５９】
具体的には、先に入力（受信）された放送パケット（例えば、図１７の時刻t1を示す時刻情報を含む放送パケットP2）が、その後に入力（受信）される放送パケット（例えば、図１７の時刻t1を示す時刻情報を含む放送パケットP1）が入力（受信）されるまで、遅延されるようにして、それらの放送パケットの間の遅延（例えば、図１７の時刻t1を示す時刻情報を含む放送パケットP1と放送パケットP2との遅延）がなくなるようにする（遅延を0にする）。これにより、受信装置２０では、放送の経路を含む複数の伝送経路ごとに異なる伝播遅延量だけでなく、送出設備ごとの放送パケットの送出時刻のずれが補償されることになる。
【０１６０】
以上のように、送信所４０−１や送信所４０−２等の送出設備ごとに放送パケットの送出タイミングがずれている場合であっても、伝播遅延補償部２１１によって、遅延補償処理（伝播遅延補償処理）が行われ、同一の時刻を示す時刻情報を有する放送パケットの間の遅延をなくして、伝送経路ごとに異なる伝播遅延量と、送出設備ごとの放送パケットの送出時刻のずれが補償されている。そのため、受信装置２０では、このような伝播遅延量と送出時刻のずれが補償された放送パケットを処理することで、複数の分割ストリームから元のストリームを、正しく復元（再合成）することができる。
【０１６１】
なお、図１７においては、送信所４０−１や送信所４０−２等の送出設備ごとに放送パケットの送出タイミングがずれている場合を説明したが、インターネット４０−３に接続されたサーバ６０が、通信パケットを送出するタイミングがずれている場合にも同様に処理を行うことができる。
【０１６２】
＜４．受信側の遅延補償処理の流れ＞
【０１６３】
次に、図１８のフローチャートを参照して、受信装置２０により実行される伝播遅延補償処理の流れについて説明する。なお、この伝播遅延補償処理の説明では、受信装置２０が、図１２の構成を有する場合を一例に説明するものとする。
【０１６４】
ステップＳ２１−１において、信号処理部２３２−１は、送信所４０−１から送出される放送波（RFチャネル１を含む放送波）で伝送されるOFDM信号に対する処理（物理層処理）を行うことで、RFチャネル１（RF1）のデータを処理する。
【０１６５】
ステップＳ２２−１において、信号処理部２３２−１は、ステップＳ２１−１の処理の結果得られる放送パケットP1（のプリアンブル）に含まれる時刻情報（図９等）を取得する。なお、信号処理部２３２−１で処理された放送パケットP1は、伝播遅延補償部２１１の遅延部２２２−１に出力される。
【０１６６】
ステップＳ２１−２において、信号処理部２３２−２は、送信所４０−２から送出される放送波（RFチャネル２を含む放送波）で伝送されるOFDM信号に対する処理（物理層処理）を行うことで、RFチャネル２（RF2）のデータを処理する。
【０１６７】
ステップＳ２２−２において、信号処理部２３２−２は、ステップＳ２１−２の処理の結果得られる放送パケットP2（のプリアンブル）に含まれる時刻情報（図９等）を取得する。なお、信号処理部２３２−２で処理された放送パケットP2は、伝播遅延補償部２１１の遅延部２２２−２に出力される。
【０１６８】
なお、受信装置２０において、ステップＳ２１−１乃至Ｓ２２−１の処理（RFチャネル１のデータ処理）と、ステップＳ２１−２乃至Ｓ２２−２の処理（RFチャネル２のデータ処理）とは、並列的に実行される。
【０１６９】
ステップＳ２３において、伝播遅延量計測部２２１は、ステップＳ２１−１乃至Ｓ２２−１で処理される放送パケットP1と、ステップＳ２１−２乃至Ｓ２２−２で処理される放送パケットP2を監視することで、複数の伝送経路ごとに伝送される放送パケットであって、同一の時刻（例えば、時刻t1）を示す時刻情報を含む放送パケットの伝播遅延量の差分（例えば、T1-T2（=Δt12））を計測する。伝播遅延量計測部２２１は、計測された伝播遅延量の差分（例えば、T1-T2（=Δt12））に応じた遅延時間を、遅延部２２２−１又は遅延部２２２−２に供給する。
【０１７０】
なお、この伝播遅延量の差分は、同一の時刻を示す時刻情報を有する放送パケットの入力時刻（受信時刻）の差分を求めることで計測される。また、放送パケットの入力時刻（受信時刻）の差分は、例えば、受信装置２０の内部時刻を用い、放送パケットごとの入力時刻（受信時刻）を比較することで計測することができる。
【０１７１】
ステップＳ２４において、遅延部２２２−１又は遅延部２２２−２は、伝播遅延量計測部２２１から供給される遅延時間（伝播遅延量の差分に応じた遅延時間）に従い、信号処理部２３２−１又は信号処理部２３２−２から入力される放送パケット（放送パケットP1又は放送パケットP2）を遅延させる。これにより、複数の伝送経路ごとに伝送される放送パケットであって、同一の時刻（例えば、時刻t1）を示す時刻情報を有する放送パケットにおいて、最も遅れている放送パケット（例えば、放送パケットP1）を基準パケットとして、他のパケット（例えば、放送パケットP2）が遅延されることになる。
【０１７２】
ステップＳ２５において、合成部２０３は、バッファメモリとしての遅延部２２２−１又は遅延部２２２−２に保持されている放送パケット（放送パケットP1又は放送パケットP2）を適宜読み出すことで、ステップＳ２４の処理で伝播遅延が補償された放送パケットを並び替える。
【０１７３】
このステップＳ２４乃至Ｓ２５の処理は、合成部２０３によって、例えば、次のように行われる。すなわち、合成部２０３は、放送パケット（BBパケット）の拡張ヘッダに含まれるBBPカウンタに従い、バッファメモリとしての遅延部２２２−１又は遅延部２２２−２に保持されている放送パケット（BBパケット）を適宜読み出して、物理層処理が施された放送パケット（BBパケット）を並び替えることができる（Ｓ２５）。その際、放送パケット（BBパケット）は、ステップＳ２４の処理で、放送パケットの間の遅延がなくなり（遅延が0になり）、複数の伝送経路ごとの異なる伝播遅延が補償されたものとなる。
【０１７４】
なお、ステップＳ２５の処理で並び替えられた放送パケット（BBパケット）は、信号出力部２３３により処理され、例えば、IPパケットとして出力される。ステップＳ２５の処理が完了すると、図１８の伝播遅延補償処理は終了される。
【０１７５】
以上、伝播遅延補償処理の流れについて説明した。この伝播遅延補償処理においては、複数の伝送経路ごとに伝送される放送パケットに付加されている時刻情報を用いて、伝送経路ごとの伝播遅延量の差分が間接的に計測され、この伝播遅延量の差分に応じて特定の放送パケットを遅延させることで、伝送経路ごとに異なる伝播遅延量が補償されることになる。
【０１７６】
なお、図１８の伝播遅延補償処理では、複数の伝送経路として、放送の経路を含む場合の遅延補償について説明したが、上述したように、複数の伝送経路として通信の経路が含まれる場合や、送出設備ごとのパケットの送出時刻にずれが生じている場合であっても、遅延を補償することができる。なお、通信の経路の場合には、インターネット４０−３等のネットワークの状況によって、伝播遅延が時間と共に変化するため、図１８の伝播遅延補償処理を適時行うことで、伝播遅延が補償されることになる。
【０１７７】
＜５．変形例＞
【０１７８】
上述した説明としては、デジタル放送の規格として、米国等で採用されている方式であるATSC（特に、ATSC3.0）を説明したが、本技術は、日本等が採用する方式であるISDB(Integrated Services Digital Broadcasting)や、欧州の各国等が採用する方式であるDVB(Digital Video Broadcasting)などに適用するようにしてもよい。また、上述した説明では、IP伝送方式が採用されるATSC3.0を例にして説明したが、IP伝送方式に限らず、例えば、MPEG2-TS(Transport Stream)方式等の他の方式に適用するようにしてもよい。
【０１７９】
また、デジタル放送としては、地上波放送のほか、放送衛星（BS：Broadcasting Satellite)や通信衛星（CS：Communications Satellite）等を利用した衛星放送や、ケーブルテレビ（CATV）等の有線放送などに適用することができる。
【０１８０】
上述したパケットなどの名称は、一例であって、他の名称が用いられる場合がある。ただし、これらの名称の違いは、形式的な違いであって、対象のパケットなどの実質的な内容が異なるものではない。例えば、BBパケット(BBP：Baseband Packet)は、BBストリーム(Baseband Stream)やBBフレーム(BBF：Baseband Frame)などと称される場合がある。
【０１８１】
また、上述した説明では、パケットに付加される時刻情報として、PTP(Precision Time Protocol)やNTP(Network Time Protocol)で規定される時刻の情報を中心に説明したが、それに限らず、例えば、UTC(協定世界時：Coordinated Universal Time)や3GPP(Third Generation Partnership Project)で規定されている時刻の情報や、GPS(Global Positioning System)情報に含まれる時刻の情報、その他独自に決定された形式の時刻の情報等の任意の時刻の情報を用いることができる。
【０１８２】
なお、本技術は、伝送路として、放送網以外の伝送路、すなわち、例えば、インターネットや電話網等の通信回線（通信網）などを利用することを想定して規定されている所定の規格（デジタル放送の規格以外の規格）などにも適用することができる。また、図１の受信装置２０は、テレビ受像機、セットトップボックス（STB：Set Top Box）、又は、録画機などの固定受信機のほか、携帯電話機、スマートフォン、又はタブレット端末などのモバイル受信機であってもよいし、車両に搭載される車載機器であってもよい。
【０１８３】
＜６．コンピュータの構成＞
【０１８４】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図１９は、上述した一連の処理をプログラムにより実行するコンピュータのハードウェアの構成例を示す図である。
【０１８５】
コンピュータ１０００において、CPU(Central Processing Unit)１００１、ROM(Read Only Memory)１００２、RAM(Random Access Memory)１００３は、バス１００４により相互に接続されている。バス１００４には、さらに、入出力インターフェース１００５が接続されている。入出力インターフェース１００５には、入力部１００６、出力部１００７、記録部１００８、通信部１００９、及び、ドライブ１０１０が接続されている。
【０１８６】
入力部１００６は、キーボード、マウス、マイクロフォンなどよりなる。出力部１００７は、ディスプレイ、スピーカなどよりなる。記録部１００８は、ハードディスクや不揮発性のメモリなどよりなる。通信部１００９は、ネットワークインターフェースなどよりなる。ドライブ１０１０は、磁気ディスク、光ディスク、光磁気ディスク、又は半導体メモリなどのリムーバブルメディア１０１１を駆動する。
【０１８７】
以上のように構成されるコンピュータ１０００では、CPU１００１が、ROM１００２や記録部１００８に記録されているプログラムを、入出力インターフェース１００５及びバス１００４を介して、RAM１００３にロードして実行することにより、上述した一連の処理が行われる。
【０１８８】
コンピュータ１０００（CPU１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線又は無線の伝送媒体を介して提供することができる。
【０１８９】
コンピュータ１０００では、プログラムは、リムーバブルメディア１０１１をドライブ１０１０に装着することにより、入出力インターフェース１００５を介して、記録部１００８にインストールすることができる。また、プログラムは、有線又は無線の伝送媒体を介して、通信部１００９で受信し、記録部１００８にインストールすることができる。その他、プログラムは、ROM１００２や記録部１００８に、あらかじめインストールしておくことができる。
【０１９０】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０１９１】
なお、本技術の実施の形態は、上述した実施の形態に限定されるものではなく、本技術の要旨を逸脱しない範囲において種々の変更が可能である。
【０１９２】
また、本技術は、以下のような構成をとることができる。
【０１９３】
（１）
放送の経路を含む複数の伝送経路ごとに伝送されるパケットに含まれる時刻情報に基づいて、前記複数の伝送経路のうちの基準の伝送経路で伝送される基準パケットに対して、前記基準の伝送経路以外の他の伝送経路で伝送される他のパケットを遅延させることで、前記複数の伝送経路ごとに伝送されるパケットの間の遅延を補償する遅延補償部を備える
受信装置。
（２）
前記遅延補償部は、
前記複数の伝送経路ごとに伝送されるパケットのうち、同一の時刻を示す時刻情報を含むパケットの間の遅延量を計測する計測部と、
前記遅延量の計測結果に従い、同一の時刻を示す時刻情報を含むパケットのうち、最も遅れているパケットを、前記基準パケットとし、それ以外のパケットを、前記他のパケットとして遅延させる遅延部と
を有する
（１）に記載の受信装置。
（３）
前記複数の伝送経路は、複数の周波数帯域を結合して使用するチャネルボンディングの対象となる複数の周波数帯域ごとの伝送経路である
（１）又は（２）に記載の受信装置。
（４）
前記複数の周波数帯域ごとに、放送波が送出される送出地点が異なっている
（３）に記載の受信装置。
（５）
前記放送の経路で補償される遅延は、放送波が送出される送出地点と、その放送波が受信される受信地点との距離に応じた伝播遅延である
（１）乃至（４）のいずれかに記載の受信装置。
（６）
前記放送の経路で補償される遅延は、前記伝播遅延とともに、放送波を送出する送出設備ごとの時刻のずれを含む
（５）に記載の受信装置。
（７）
前記放送の経路で補償される遅延は、放送波を伝送するための物理層のパラメータ、又は、前記受信装置の実装に応じた遅延である
（１）に記載の受信装置。
（８）
前記複数の伝送経路は、前記放送の経路とともに、通信の経路を含む
（１）に記載の受信装置。
（９）
前記時刻情報は、
物理層で処理されるパケットのプリアンブルに含まれ、
前記パケットが処理された時刻を示している
（１）乃至（８）のいずれかに記載の受信装置。
（１０）
受信装置のデータ処理方法において、
前記受信装置が、
放送の経路を含む複数の伝送経路ごとに伝送されるパケットに含まれる時刻情報に基づいて、前記複数の伝送経路のうちの基準の伝送経路で伝送される基準パケットに対して、前記基準の伝送経路以外の他の伝送経路で伝送される他のパケットを遅延させることで、前記複数の伝送経路ごとに伝送されるパケットの間の遅延を補償する
ステップを含むデータ処理方法。
【符号の説明】
【０１９４】
１  伝送システム，  １０  送信装置，  ２０  受信装置，  ３０  伝送路，  ４０−１，４０−２  送信所，  ４０−３  インターネット，  ５０  アンテナ，  ６０  サーバ，  １０２  分割部，  １１１−１，１１１−２  物理層処理部，  ２０１−１，２０１−２  物理層処理部，  ２０２−１，２０２−２  バッファメモリ，  ２０３  合成部，  ２１１  伝播遅延補償部，  ２２１  伝播遅延量計測部，  ２２２−１，２２２−２，２２２−３  遅延部，  ２３１，２３１−１，２３１−２  信号入力部，  ２３２，２３２−１，２３２−２  信号処理部，  ２３３，２３３−１，２３３−２  信号出力部，  １０００  コンピュータ，  １００１  CPU
【図１】
2017098950.tif 000003
【図２】
2017098950.tif 000004
【図３】
2017098950.tif 000005
【図４】
2017098950.tif 000006
【図５】
2017098950.tif 000007
【図６】
2017098950.tif 000008
【図７】
2017098950.tif 000009
【図８】
2017098950.tif 000010
【図９】
2017098950.tif 000011
【図１０】
2017098950.tif 000012
【図１１】
2017098950.tif 000013
【図１２】
2017098950.tif 000014
【図１３】
2017098950.tif 000015
【図１４】
2017098950.tif 000016
【図１５】
2017098950.tif 000017
【図１６】
2017098950.tif 000018
【図１７】
2017098950.tif 000019
【図１８】
2017098950.tif 000020
【図１９】
2017098950.tif 000021
【国際調査報告】
2017098950.tif 000022
2017098950.tif 000023
2017098950.tif 000024
2017098950.tif 000025